(57)【要約】【課題】  極力文字入力のような手間のかかる操作を必要せず、使い慣れていないユーザでも容易に検索操作できるようにすること。【解決手段】  ＣＰＵ２３は操作部１２から入力されたＷｅｂ検索キーワード抽出指示に応答して、表示部１４に表示した閲覧中のＷｅｂページからＷｅｂ検索キーワードを抽出する。操作部１２によってＷｅｂ検索キーワードが選択されると、前記選択されたＷｅｂ検索キーワードを用いて検索用Ｗｅｂページでの検索入力を行う。表示部１４はＣＰＵ２３が抽出したＷｅｂ検索キーワードを他の表示とは異なる態様で表示すると共に、前記検索用Ｗｅｂページでの検索結果を表示する。【選択図】  図２
2009075815.tif 000002
【特許請求の範囲】
【請求項１】
Ｗｅｂページ閲覧機能及びメール通信機能を有し、閲覧中のＷｅｂページ及びメールを表示する携帯端末装置において、
入力手段と、
表示手段と、
検索用ＷｅｂページのＵＲＬを記憶する記憶手段と、
前記入力手段から入力されたＷｅｂ検索キーワード抽出指示に応答して、前記表示手段に表示した閲覧中のＷｅｂページからＷｅｂ検索キーワードを抽出するＷｅｂ検索キーワード抽出手段と、
前記入力手段によって選択されたＷｅｂ検索キーワードを用いて前記検索用Ｗｅｂページでの検索入力を行うＷｅｂ検索手段とを備え、
前記表示手段は、前記Ｗｅｂ検索キーワード抽出手段が抽出したＷｅｂ検索キーワードを他の表示とは異なる態様で表示すると共に、前記検索用Ｗｅｂページでの検索結果を表示することを特徴とする携帯端末装置。
【請求項２】
前記記憶手段には更にメールを保存するメールボックスが備えられて成り、
前記入力手段から入力されたメール検索キーワード抽出指示に応答して、前記表示手段に表示中のメールからメール検索キーワードを抽出するメール検索キーワード抽出手段と、
前記入力手段によって選択されたメール検索キーワードを用いて前記メールボックス内のメールを検索するメール検索手段とを備え、
前記表示手段は、前記メール検索キーワード抽出手段が抽出したメール検索キーワードを他の表示とは異なる態様で表示すると共に、前記メールボックスでの検索結果を表示することを特徴とする請求項１記載の携帯端末装置。
【請求項３】
前記記憶手段には更に辞書が記憶されて成り、
前記入力手段から入力された辞書検索キーワード抽出指示に応答して、前記表示手段に表示中のメールから辞書検索キーワードを抽出する辞書検索キーワード抽出手段と、
前記入力手段によって選択された辞書検索キーワードを用いて前記辞書を検索する辞書検索手段とを備え、
前記表示手段は、前記辞書検索キーワード抽出手段が抽出した辞書検索キーワードを他の表示とは異なる態様で表示すると共に、前記辞書の検索結果を表示することを特徴とする請求項１又は２記載の携帯端末装置。
【請求項４】
前記表示手段は、前記抽出した検索キーワードをリスト表示することを特徴とする請求項１乃至３のいずれか一に記載の携帯端末装置。
【請求項５】
前記表示手段は、前記抽出した検索キーワードを用いて検索式を設定可能な表示を行い、前記入力手段は、前記表示手段に表示された検索キーワードを用いて検索式を設定して前記検索キーワード抽出指示を行うことを特徴とする請求項１乃至４のいずれか一に記載の携帯端末装置。
【発明の詳細な説明】
【技術分野】
【０００１】
本発明は、少なくともＷｅｂ（WWW（World Wide Web））閲覧機能やメール機能を有する携帯端末装置に関する。
【背景技術】
【０００２】
従来から、携帯電話等、ＷＥＢ閲覧やメール送受信が可能な携帯端末装置が開発されている（例えば特許文献１、２参照）。
携帯端末装置の多くは携帯に便利なように小型化したものが多く、その操作部も小さくなる傾向にある。
【０００３】
したがって、操作部からの文字入力等の操作が煩雑であり、特に、小型化にともなって操作部が小さい場合、文字入力等の操作が極めて煩雑であり又、対端末装置をあまり使い慣れていないユーザにとっては操作が困難になるという問題がある。
また、Ｗｅｂページやメールを閲覧中、ユーザにとって何か気になるキーワードが出てきた場合、一時閲覧を終了し、Ｗｅｂ上の検索サイトに移動した後に文字入力を行う等して検索結果を得る必要がある。
【０００４】
一方、特許文献１には、会話音声に基づいてキーワードを確定し、ユーザが指定したキーワードに関する情報を情報格納部から検索し、その内容を表示するようにした電話端末装置が開示されている。特許文献１記載の発明では、会話音声に基づいてキーワードを確定して検索するようにしているため、操作部から文字入力等を行う手間を省くことが可能になる。
しかしながら、特許文献１記載の発明では、ＷＥｂ検索を行うために前記キーワードを使用するものではなく、電話番号などを記憶した情報格納部の検索を行うものである。したがって、前記キーワードとＷＥｂページの関連付け等については何ら開示されていない。
【０００５】
よって、特許文献１記載の発明を用いてＷｅｂページを検索した場合、前述したように、操作部から検索用の文字等を入力する必要があり、操作が極めて煩雑になるという問題がある。
また、Ｗｅｂページやメールを閲覧中、ユーザにとって何か気になるキーワードが出てきた場合、一時閲覧を終了し、Ｗｅｂ上の検索サイトに移動した後に文字入力を行う等して検索結果を得るという手間が必要となり、極めて操作が煩雑になるという問題がある。
【０００６】
【特許文献１】特開平１１−２５２２８１号公報
【特許文献２】特開２００１−２６８２０６号公報
【発明の開示】
【発明が解決しようとする課題】
【０００７】
本発明は、前記問題点に鑑み成されたもので、極力文字入力のような手間のかかる操作を必要せず、使い慣れていないユーザでも容易に検索操作できるようにすることを課題としている。
【課題を解決するための手段】
【０００８】
本発明によれば、Ｗｅｂページ閲覧機能及びメール通信機能を有し、閲覧中のＷｅｂページ及びメールを表示する携帯端末装置において、入力手段と、表示手段と、検索用ＷｅｂページのＵＲＬを記憶する記憶手段と、前記入力手段から入力されたＷｅｂ検索キーワード抽出指示に応答して、前記表示手段に表示した閲覧中のＷｅｂページからＷｅｂ検索キーワードを抽出するＷｅｂ検索キーワード抽出手段と、表示手段と、前記入力手段によって選択されたＷｅｂ検索キーワードを用いて前記検索用Ｗｅｂページでの検索入力を行うＷｅｂ検索手段とを備え、前記表示手段は、前記Ｗｅｂ検索キーワード抽出手段が抽出したＷｅｂ検索キーワードを他の表示とは異なる態様で表示すると共に、前記検索用Ｗｅｂページでの検索結果を表示することを特徴とする携帯端末装置が提供される。
【０００９】
ＷＥｂ検索キーワード抽出手段は、入力手段から入力されたＷｅｂ検索キーワード抽出指示に応答して、表示手段に表示した閲覧中のＷｅｂページからＷｅｂ検索キーワードを抽出する。Ｗｅｂ検索手段は、入力手段によって選択されたＷｅｂ検索キーワードを用いて検索用Ｗｅｂページでの検索を行う。表示手段は、Ｗｅｂ検索キーワード抽出手段が抽出したＷｅｂ検索キーワードを他の表示とは異なる態様で表示すると共に、前記検索用Ｗｅｂページでの検索結果を表示する。
【００１０】
ここで、前記記憶手段には更にメールを保存するメールボックスが備えられて成り、前記入力手段から入力されたメール検索キーワード抽出指示に応答して、前記表示手段に表示中のメールからメール検索キーワードを抽出するメール検索キーワード抽出手段と、前記入力手段によって選択されたメール検索キーワードを用いて前記メールボックス内のメールを検索するメール検索手段とを備え、前記表示手段は、前記メール検索キーワード抽出手段が抽出したメール検索キーワードを他の表示とは異なる態様で表示すると共に、前記メールボックスでの検索結果を表示するように構成してもよい。
【００１１】
また、前記記憶手段には更に辞書が記憶されて成り、前記入力手段から入力された辞書検索キーワード抽出指示に応答して、前記表示手段に表示中のメールから辞書検索キーワードを抽出する辞書検索キーワード抽出手段と、前記入力手段によって選択された辞書検索キーワードを用いて前記辞書を検索する辞書検索手段とを備え、前記表示手段は、前記辞書検索キーワード抽出手段が抽出した辞書検索キーワードを他の表示とは異なる態様で表示すると共に、前記辞書の検索結果を表示するように構成してもよい。
【００１２】
また、前記表示手段は、前記抽出した検索キーワードをリスト表示するように構成してもよい。
また、前記表示手段は、前記抽出した検索キーワードを用いて検索式を設定可能な表示を行い、前記入力手段は、前記表示手段に表示された検索キーワードを用いて検索式を設定して前記検索キーワード抽出指示を行うように構成してもよい。
【発明の効果】
【００１３】
本発明の携帯端末装置によれば、極力文字入力のような手間のかかる操作を必要せず、使い慣れていないユーザでも容易に検索操作できるようにすることが可能になる。
【発明を実施するための最良の形態】
【００１４】
本発明の実施の形態に係る携帯端末装置は、ＷＥＢ閲覧やメール機能を有する携帯端末装置において、ユーザが閲覧中の内容から容易に情報の検索を行うことができるようにしたものである。
詳細は後述するが、例えばユーザがＷｅｂページを閲覧中に携帯端末装置に表示される画面（図３（ａ）参照）において、ユーザがキーワード検索を実行すると、携帯端末装置はそのページ内のキーワードを抽出する。
【００１５】
そのキーワードを選択できるように携帯端末装置内でＷｅｂページの構成を変換し、表示を図３（ｂ）のように切り替える。
各キーワードがリンクとして選択可能となり、ユーザは検索したいキーワードを選択することで検索結果を得ることができるようになる。
【００１６】
これにより、本実施の形態に係る携帯端末装置によれば、閲覧中の内容をそのままに、携帯端末装置がキーワードを抽出して選択可能とするため、ユーザは見た目上同じ画面からキーワードを選ぶだけでよい。
したがって、ユーザは直感的な操作で素早く検索結果を得ることができるようになる。即ち、ユーザはキー操作による文字入力を必要とせず、簡易な操作で素早く検索結果を得ることが可能になる。
【００１７】
以下、本発明の実施の形態に係る携帯端末装置について詳細に説明する。
尚、本発明の実施の形態に係る携帯端末装置の動作例として、携帯端末装置にてＷｅｂページを閲覧中にキーワード検索を行い、Ｗｅｂ上の検索サイトからその検索結果を得るときの動作を挙げる。また、各図において、同一部分には同一符号を付している。
図１は、本発明の実施の形態に係る携帯端末装置の外観を示す図で、折り畳み式携帯電話装置の例を示している。
【００１８】
図１において、本実施の形態に係る携帯電話装置１０の装置本体１１は、操作入力を行うキー操作部１２、音声入力を行うマイク１３、情報を表示する表示部１４、受話音を出力するスピーカであるスピーカホン１５、アラーム音等を出力するスピーカ１６、開閉を可能とするためのヒンジ１７を備えている。
詳細は後述するが、本実施の形態に係る携帯電話装置１０は、テキストデータよりキーワードとなる単語を抽出することができるエンジン等を備えている。
【００１９】
図２は、本発明の実施の形態に係る携帯電話装置１０のブロック図である。
図２において、携帯電話装置１０は、信号の送受信を行うアンテナ２１及び送受信部２２、中央処理装置（ＣＰＵ）２３、ＣＰＵが実行するプログラムや検索用ＷｅｂページのＵＲＬ（Uniform Resource Locator）やデータ等を記憶する記憶部２４、操作入力を行うキー操作部１２、音声入力を行うマイク１３、情報を表示する表示部１４、受話音を出力するスピーカホン１５と、アラーム音等を出力するスピーカ１６を備えている。
【００２０】
ここで、操作部１２は入力手段を構成し、記憶部２４は記憶手段を構成し、表示部１４は表示手段を構成している。また、ＣＰＵ２３は、Ｗｅｂ検索キーワード抽出手段、Ｗｅｂ検索手段、メール検索キーワード抽出手段、メール検索手段、辞書検索キーワード抽出手段、辞書検索手段を構成している。
入力手段は、Ｗｅｂ検索キーワード抽出指示を入力し又、Ｗｅｂ検索キーワードを選択することができる。更に入力手段は、メール検索キーワード抽出指示を入力し又、メール検索キーワードを選択することができる。また入力手段は、表示手段に表示された検索キーワードを用いて検索式を設定して検索キーワード抽出指示を行うことができる。
【００２１】
記憶手段は、検索用ＷｅｂページのＵＲＬを記憶する。また記憶手段は更にメールを保存するメールボックスを備えることができる。また記憶手段は更に辞書を記憶することができる。
Ｗｅｂ検索キーワード抽出手段は、入力手段から入力されたＷｅｂ検索キーワード抽出指示に応答して、表示手段に表示した閲覧中のＷｅｂページからＷｅｂ検索キーワードを抽出することができる。
【００２２】
Ｗｅｂ検索手段は、入力手段によって選択されたＷｅｂ検索キーワードを用いて検索用Ｗｅｂページでの検索入力を行うことができる。
表示手段は、Ｗｅｂ検索キーワード抽出手段が抽出したＷｅｂ検索キーワードを他の表示とは異なる態様で表示すると共に、検索用Ｗｅｂページでの検索結果を表示することができる。
【００２３】
メール検索キーワード抽出手段は、入力手段から入力されたメール検索キーワード抽出指示に応答して、表示手段に表示中のメールからメール検索キーワードを抽出することができる。
メール検索手段は、入力手段によって選択されたメール検索キーワードを用いてメールボックス内のメールを検索することができる。
表示手段は、メール検索キーワード抽出手段が抽出したメール検索キーワードを他の表示とは異なる態様で表示すると共に、メールボックスでの検索結果を表示することができる。
【００２４】
辞書検索キーワード抽出手段は、入力手段から入力された辞書検索キーワード抽出指示に応答して、表示手段に表示中のメールから辞書検索キーワードを抽出することができる。
辞書検索手段は、入力手段によって選択された辞書検索キーワードを用いて辞書を検索することができる。
表示手段は、辞書検索キーワード抽出手段が抽出した辞書検索キーワードを他の表示とは異なる態様で表示すると共に、辞書の検索結果を表示することができる。
また、表示手段は、抽出した検索キーワードをリスト表示することができる。
また、表示手段は、抽出した検索キーワードを用いて検索式を設定可能な表示を行うことができる。
【００２５】
図３は、本実施の形態に係る携帯電話装置１０の表示部１４に表示される表示画面を示す図である。
図３（ａ）はＷｅｂページの閲覧中に表示部１４に表示される該Ｗｅｂページの表示画面である。表示部１４に表示されたＷｅｂページには、○○○電気店のタイムセールの広告が掲載されている。
【００２６】
同図（ｂ）はＷｅｂページの画面からキーワードを抽出した際の表示画面であり、通常使用時の表示（図３の例ではＷｅｂページ表示）中に、抽出したキーワードを判別できるような形式（キーワードリンク表示形式）で表示している。同図（ｂ）の例では、Ｗｅｂページの表示が通常使時の表示であるため、前記キーワードリンク表示形式は、Ｗｅｂページにキーワードを区別する情報を付加した表示となっており、キーワードとして抽出したか否かを判別できるように、Ｗｅｂページ中の抽出したキーワードにはアンダーラインを付して表している。
【００２７】
前記各キーワードは、記憶部２４に記憶された前記検索用Ｗｅｂページとリンクするように構成されている。これにより、操作部１２によってキーワードを選択することにより、該選択したキーワードを用いて前記検索用Ｗｅｂページで検索処理が行われることになる。
また、同図（ｃ）は抽出したキーワードのみをリスト形式（キーワードリスト表示形式）で表示部１４に表示した画面である。
【００２８】
図４は、本実施の形態に係る携帯電話装置１０の処理を示すフローチャートであり、主としてＣＰＵ２３が記憶部２４に予め記憶したプログラムを実行することによって行う処理を示している。
以下、図１〜図４を用いて、本実施の形態に係る携帯電話装置１０の動作を詳細に説明する。
【００２９】
ユーザが操作部１２によって所望のＷＥｂページへの接続操作を行うと、ＣＰＵ２３は操作部１２の前記Ｗｅｂページ接続操作に応答して、送受信部２２を制御して前記Ｗｅｂページへの接続処理を行う。
携帯電話装置１０は、前記Ｗｅｂページに接続して、図３（ａ）に示すように、表示部１４に前記Ｗｅｂページを表示する。
図３（ａ）の状態から、ユーザによる操作部１２の操作によってキーワード抽出処理が開始される。
【００３０】
図３（ａ）の状態で操作部１２によってキーワード抽出指示が入力されると、ＣＰＵ２３は前記キーワード抽出指示に応答して、図３（ｂ）に示すように、表示部１４に表示中のテキストデータから、キーワードとなる単語を抽出する（ステップＳ１）。この場合、操作部１２から入力されるキーワード抽出指示は、Ｗｅｂページを検索するためのキーワードの抽出指示であるＷｅｂ検索キーワード抽出指示である。
【００３１】
ＣＰＵ２３は、抽出したキーワード（本例ではＷｅｂ検索キーワード）について、そのキーワード表示部分をユーザの操作部１２によりリンクとして選択可能とするよう、表示ページを変換する（ステップＳ２）。図３（ｂ）の例では、抽出したキーワードにはアンダーラインを付すことによって他と区別するようにしているが、キーワードとして選択した部分が他と区別できればよく、文字色や書体等を変更するように構成してもよい。
【００３２】
尚、このとき、ユーザが閲覧中だった元々のＷｅｂページが有している他ページへのリンクやその他の選択可能な項目は一時的に選択不可とする。ただし、テキスト部分にリンクが割り当てられている場合は、リンクの無い通常のテキストとして扱い、そのテキスト内に抽出されたキーワードがあればその部分をリンクとして選択可能とする。
これにより、表示画面はユーザが元々閲覧中だったページからレイアウト等の変更無く、キーワードとして抽出された部分のみがリンクとして選択可能なページとなる。
【００３３】
また、図３（ｃ）に示すように、ユーザによる操作部１２の操作により、キーワード一覧をリスト形式で表示するように表示部１４の表示形式を切り替えるか否かの選択が可能である。
ＣＰＵ２３は、操作部１２が操作されたか否かに応答して、図３（ｂ）のＷＥｂ形式キーワード表示（Ｗｅｂページにキーワードを区別する情報を付加した表示）又は、キーワードリスト表示形式で表示するように表示部１４の表示形式を切り替える（ステップＳ３、ステップＳ４）。
【００３４】
図３（ｂ）のＷｅｂ形式キーワード表示と図３（ｃ）のリスト表示のどちらからも同等のキーワードが選択可能であり、表示形式が異なるだけで、各キーワードが選択された後の動作に変わりは無い。
記憶部２４には検索用ＷｅｂページのＵＲＬが記憶されており、前記各キーワードは、記憶部２４に記憶された前記検索用Ｗｅｂページとリンクされる。
【００３５】
これにより、操作部１２によってキーワードを選択して検索指示を行うことにより、該選択したキーワードを用いて前記検索用Ｗｅｂページで検索処理が行われることになる。
ユーザは選択しやすい表示形式から、操作部１２の操作によってキーワードを選択することができ、ＣＰＵ２３は、操作部１２の操作によって選択されたキーワードを選択する（ステップＳ５）。
【００３６】
ＣＰＵ２３は、ユーザにより選択されたキーワードによって、携帯電話装置１０の記憶部２４に登録されているＷｅｂ上の検索サイトで検索するように入力し（ステップＳ６）、その検索結果のＷｅｂページに遷移して、検索結果を表示部１４に表示する（ステップＳ７）。
即ち、表示部１４は、抽出したＷｅｂ検索キーワードを他の表示とは異なる態様で表示すると共に、記憶部２４にＵＲＬを記憶した検索用Ｗｅｂページでの検索結果を表示する。
【００３７】
以上述べたように、本発明の実施の形態によれば、Ｗｅｂページ閲覧機能及びメール通信機能を有し閲覧中のＷｅｂページ及びメールを表示部１４によって表示する携帯電話装置１０において、操作部１２から入力されたＷｅｂ検索キーワード抽出指示に応答して、表示部１４に表示した閲覧中のＷｅｂページから、記憶部２４に記憶した検索用ＷｅｂページにリンクさせてＷｅｂ検索キーワードを抽出するＷｅｂ検索キーワード抽出手段を備えている。
【００３８】
また、閲覧中の画面表示内のキーワードを抽出し、そのキーワードを選択できるように携帯電話装置１０内でＷｅｂページの構成を変換し表示を切り替えるようにしているため、各キーワードが検索用Ｗｅｂページにリンクして選択可能となることで、キーワード検索に関する利便性が改善するという効果を奏する。
また、極力文字入力のような手間のかかる操作を必要せず、使い慣れていないユーザでも容易に検索操作できるようにすることが可能になる。
【００３９】
また、ユーザにとって、キーワード検索を実行した後に閲覧文章中の気になったキーワードを選択するだけという、簡易な操作で検索結果を得ることができる。これについては特に、画面のレイアウト等の変更が行われないことが、ユーザの直感的操作を助けるものとなる。
また、キーワードを携帯電話装置１０が抽出しており、ユーザはそれを選択するだけで検索結果を得ることが出来るため、キー操作による文字入力を必要としない。これにより、ユーザは少ない手数で得たい情報を得ることができ、操作を完了するまでの時間短縮に繋がるという効果を奏する。
【００４０】
図５は、Ｗｅｂ閲覧中ではなく電子メール閲覧中に、前記同様のキーワード抽出処理を行う際の表示部１４の表示を示す図である。
同図（ａ）は電子メールの閲覧中に表示部１４に表示される該電子メールの表示画面である。表示部１４には、その題名を「新製品のご案内」とする電子メールが表示されている。
【００４１】
同図（ｂ）は電子メールの画面からキーワードを抽出した際の表示画面であり、通常使用時の表示（図５の例では電子メール表示）中に、抽出したキーワードを判別できるような形式（キーワードリンク表示形式）で表示している。同図（ｂ）の例では、電子メールの表示が通常使時の表示であるため、前記キーワードリンク表示形式は電子メールにキーワードを区別する情報を付加した表示となっており、キーワードとして抽出したか否かを判別できるように、電子メール中の抽出したキーワードにはアンダーラインを付して表している。
【００４２】
また、同図（ｃ）は抽出したキーワードのみをリスト形式（キーワードリスト表示形式）で表示部１４に表示した画面である。
これにより、利用範囲が広がるようにしている。また、さらに携帯電話装置１０内に検索エンジンを組み込み、検索対象をＷｅｂ上の検索サイトだけでなく、携帯電話装置１０の記憶部２４に記憶されたメール送受信ＢＯＸ内の情報についても検索を可能としている。
【００４３】
図６は、電子メールについてキーワード抽出及び検索処理を行う際の処理を示すフローチャートである。
図６の処理と図４の処理の主な相違点は、図４の処理がＷｅｂページをキーワード抽出処理及びキーワード検索処理の対象としているのに対して、図６の処理では、電子メールをキーワード抽出処理及びキーワード検索処理の対象としている。
【００４４】
即ち、図４の処理では、操作部１２によるキーワード抽出指示に応答して表示中のＷｅｂページのテキストからキーワードを抽出して表示し（ステップＳ１〜Ｓ４）、ユーザが操作部１２により選択したキーワードによって携帯電話装置１０の記憶部２４に登録されているＷｅｂ上の検索サイトから検索し（ステップＳ５、Ｓ６）、検索結果を表示部１４に表示するように構成している（ステップＳ７）。
【００４５】
これに対して、図６の処理では、操作部１２によるキーワード抽出指示（本例の場合、メール検索キーワード抽出指示）に応答して表示中の電子メールのテキストからキーワード（本例の場合、メールを検索するためのキーワードであるメール検索キーワード）を抽出して表示し（ステップＳ１〜Ｓ４）、ユーザが操作部１２により選択したキーワードによって携帯電話装置１０の記憶部２４に記憶されたメール送受信ＢＯＸから検索し（ステップＳ５、Ｓ６１）、検索結果を表示部１４に表示するように構成している（ステップＳ７）。
【００４６】
また、本実施の形態に係る携帯電話装置１０は、電子辞書機能を有しており場合、記憶部２４に記憶された辞書内での検索を可能としている。
図７は、電子辞書についてキーワード抽出及び検索処理を行う際の処理を示すフローチャートである。図７の処理と図４の処理の主な相違点は、図４の処理がＷｅｂページをキーワード抽出処理及びキーワード検索処理の対象としているのに対して、図７の処理では、電子辞書をキーワード抽出処理及びキーワード検索処理の対象としている。
【００４７】
即ち、図７の処理では、操作部１２によるキーワード抽出指示（本例の場合、辞書検索キーワード抽出指示）に応答して表示中の電子辞書のテキストからキーワード（本例の場合、辞書検索キーワード）を抽出して表示し（ステップＳ１〜Ｓ４）、ユーザが操作部１２により選択したキーワードによって携帯電話装置１０の記憶部２４に記憶された電子辞書から検索し（ステップＳ５、Ｓ７１）、検索結果を表示部１４に表示するように構成している（ステップＳ７）。
このように、携帯電話装置１０内部に検索エンジンを搭載することにより、携帯電話装置１０内部にて処理を完結することが出来るため、電波状態等の状況によらずに実行が可能となる。
【００４８】
尚、前記実施の形態では、図３（ｃ）のようにリスト表示の際も単一の選択での検索を行うこととしたが、他の実施の形態として図８に示すように、チェックボックス８１を設ける等して、キーワードを複数選択し、該選択した複数のキーワードの論理式によって検索を実行できるように構成することができる。即ち、表示部１４に、抽出した検索キーワードを用いて検索式を設定可能な表示を行い、操作部１２は、表示部１４に表示された検索キーワードを用いて検索式を設定して検索キーワード抽出指示を行うように構成することができる。
【００４９】
図８の例は、チェックボックス８１にチェックを入れたキーワードのＡＮＤ処理を行う例である。ＡＮＤやＯＲ等の簡単な論理式は予め定めておいてもよいが、本実施の形態では、利用の利便性を高めるために、操作部１２によって論理式を設定するように構成している。それ以外の構成や動作は前記実施の形態と同じとすることで、前記実施の形態と略同等の操作により、絞り込み検索のような、より高度な検索方法が簡単に行えるという効果が得られる。
【００５０】
また、前記実施の形態は、携帯端末装置の例として携帯電話装置１０を挙げて説明したが、ＰＨＳ、携帯情報端末（ＰＤＡ）、携帯型パーソナルコンピュータ等、少なくともＷｅｂ閲覧機能やメール機能を有する携帯端末装置であれば適用可能である。
【産業上の利用可能性】
【００５１】
携帯電話装置、ＰＨＳ、携帯情報端末、携帯型パーソナルコンピュータ等、少なくともＷｅｂ閲覧機能やメール機能を有する携帯端末装置に利用可能である。
【図面の簡単な説明】
【００５２】
【図１】本発明の実施の形態に係る携帯端末装置の外観を示す図である。
【図２】本発明の実施の形態に係る携帯端末装置のブロック図である。
【図３】本発明の実施の形態に係る携帯端末装置の表示画面を示す図である。
【図４】本発明の実施の形態に係る携帯端末装置の処理を示すフローチャートである。
【図５】本発明の実施の形態に係る携帯端末装置の表示画面を示す図である。
【図６】本発明の実施の形態に係る携帯端末装置の処理を示すフローチャートである。
【図７】本発明の実施の形態に係る携帯端末装置の処理を示すフローチャートである。
【図８】本発明の他の実施の形態に係る携帯端末装置の表示画面を示す図である。
【符号の説明】
【００５３】
１０・・・携帯電話装置
１１・・・携帯電話装置本体
１２・・・キー操作部
１３・・・マイク
１４・・・表示部
１５・・・スピーカホン
１６・・・スピーカ
１７・・・ヒンジ
２１・・・アンテナ
２２・・・送受信部
２３・・・ＣＰＵ
２４・・・記憶部
８１・・・チェックボックス
【図１】
2009075815.tif 000003
【図２】
2009075815.tif 000004
【図３】
2009075815.tif 000005
【図４】
2009075815.tif 000006
【図５】
2009075815.tif 000007
【図６】
2009075815.tif 000008
【図７】
2009075815.tif 000009
【図８】
2009075815.tif 000010